(57)【要約】  【課題】  広域ネットワーク上にある管理サーバからホームネットワーク機器の設定情報やドライバの入手およびインストールを容易に可能にする。  【解決手段】  ホームネットワーク機器５の記憶部６が、ゲートウェイ装置３から通知された貸与アドレスおよび自身の機器情報ＵＲＬを保持し、ゲートウェイ装置３の制御部１０が、ホームネットワーク機器５から取得した機器情報ＵＲＬに基づき、管理サーバ２にアクセスしてホームネットワーク機器５の設定情報およびドライバを取得してホームネットワーク機器５の設定およびドライバのインストールを行い、管理サーバ２が、ホームネットワーク機器５の機器情報ＵＲＬに関連付けられた設定情報およびドライバを蓄積した機器設定データベース１５を備える。【選択図】  図１
2006067076.tif 000002
【特許請求の範囲】
【請求項１】
広域ネットワークにゲートウェイ装置を介して接続されたホームネットワーク機器と、前記広域ネットワークに接続された管理サーバとを備えたネットワークシステムであって、
前記ホームネットワーク機器が、前記ゲートウェイ装置から通知された貸与アドレスおよび自身の機器情報アドレスを保持する記憶手段を備え、
前記ゲートウェイ装置が、前記ホームネットワーク機器から取得した機器情報アドレスに基づき、前記管理サーバにアクセスして前記ホームネットワーク機器の設定情報を取得して前記ホームネットワーク機器の設定を行う制御手段を備え、
前記管理サーバが、前記ホームネットワーク機器の機器情報アドレスに関連付けられた設定情報を蓄積したデータベースを備えたことを特徴とするネットワークシステム。
【請求項２】
前記ゲートウェイ装置は、前記管理サーバから前記ホームネットワーク機器のドライバを取得して前記ホームネットワーク機器に対しインストールすることを特徴とする請求項１記載のネットワークシステム。
【請求項３】
前記ゲートウェイ装置が、定期的に前記管理サーバにアクセスして、既に取得しているドライバが最新のものであるかどうかを確認し、
前記管理サーバが、前記ホームネットワーク機器のドライバの更新情報を保持し、前記ドライバが更新された場合には更新情報を書き換え、
前記ゲートウェイ装置が、前記管理サーバから最新版ドライバをダウンロードして前記ホームネットワーク機器にインストールすることを特徴とする請求項２に記載のネットワークシステム。
【請求項４】
前記管理サーバのデータベースは、前記ホームネットワーク機器のベンダ単独または複数のベンダにより構築されていることを特徴とする請求項１ないし３のいずれかに記載のネットワークシステム。
【請求項５】
ゲートウェイ装置を介して広域ネットワーク上の管理サーバに接続されるホームネットワーク機器であって、
前記ゲートウェイ装置と通信する通信手段と、前記ゲートウェイ装置から通知された貸与アドレスおよび自身の機器情報アドレスを保持する記憶手段と、前記ゲートウェイ装置を介して前記管理サーバから自身の設定情報またはドライバを取得する制御手段とを備えたことを特徴とするホームネットワーク機器。
【請求項６】
広域ネットワークを介して管理サーバに接続されるとともに、ホームネットワークを介してホームネットワーク機器に接続されるゲートウェイ装置であって、
前記管理サーバおよび前記ホームネットワーク機器と通信する通信手段と、前記ホームネットワーク機器に通知した貸与アドレスおよび前記ホームネットワーク機器の機器情報アドレスを保持する記憶手段と、前記管理サーバから前記ホームネットワーク機器の設定情報またはドライバを取得して前記ホームネットワーク機器の設定またはインストールを行う制御手段とを備えたことを特徴とするゲートウェイ装置。
【請求項７】
広域ネットワークを介してゲートウェイ装置に接続されるとともに、前記ゲートウェイ装置を介してホームネットワーク機器に接続される管理サーバであって、
前記ゲートウェイ装置と通信する通信手段と、前記ホームネットワーク機器の機器情報アドレスに関連付けられた設定情報およびドライバを蓄積したデータベースと、前記ゲートウェイ装置からの要求に基づいて前記ホームネットワーク機器の設定情報またはドライバを前記ゲートウェイ装置へ送信する制御手段とを備えたことを特徴とする管理サーバ。
【請求項８】
広域ネットワークにゲートウェイ装置を介して接続されたホームネットワーク機器と、前記広域ネットワークに接続された管理サーバとを備えたネットワークシステムにおけるホームネットワーク機器設定方法であって、
前記ホームネットワーク機器が、前記ゲートウェイ装置に対し貸与アドレスを要求するステップと、自身が保持する機器情報アドレスを前記ゲートウェイ装置に通知するステップとを備え、
前記ゲートウェイ装置が、前記ホームネットワーク機器から前記機器情報アドレスを取得するとともに、前記ホームネットワーク機器へ貸与アドレスを通知するステップと、前記取得した機器情報アドレスに基づき前記管理サーバにアクセスするステップと、前記管理サーバから前記ホームネットワーク機器の設定情報を取得するステップと、前記管理サーバから取得した設定情報に基づき前記ホームネットワーク機器の設定を行うステップとを備えたことを特徴とするホームネットワーク機器設定方法。
【請求項９】
前記ゲートウェイ装置が、前記管理サーバから前記ホームネットワーク機器のドライバを取得して前記ホームネットワーク機器に対しインストールするステップを備えたことを特徴とする請求項８記載のネットワーク機器設定方法。
【請求項１０】
前記ゲートウェイ装置が、定期的に前記管理サーバにアクセスして、既に取得しているドライバが最新のものであるかどうかを確認するステップと、
前記管理サーバが、前記ホームネットワーク機器のドライバの更新情報を保持し、前記ドライバが更新された場合には更新情報を書き換えるステップと、
前記ゲートウェイ装置が、前記管理サーバから最新版ドライバをダウンロードして前記ホームネットワーク機器にインストールするステップとを備えたことを特徴とする請求項９に記載のネットワーク機器設定方法。
【発明の詳細な説明】
【技術分野】
【０００１】
本発明は、宅内のネットワーク（以下、ホームネットワークという）に接続された電子機器（以下、ホームネットワーク機器という）に対して、ホームネットワークゲートウェイ装置（以下、ゲートウェイ装置という）を介して、広域ネットワーク上にある情報サーバ（以下、管理サーバという）から設定情報やドライバの入手およびインストールを可能にするネットワークシステム、およびそのネットワークシステムを用いたホームネットワーク機器設定方法に関する。
【背景技術】
【０００２】
従来、広域ネットワーク上にある管理サーバからホームネットワーク機器の設定情報やドライバの入手およびインストールを可能にするためのネットワークシステムが知られている（例えば、特許文献１参照）。このネットワークシステムは、端末（ゲートウェイ装置）、周辺機器（ホームネットワーク機器）、処理サーバ、メーカＩＤ管理サーバ、データベース、属性管理サーバ、属性データベースで構成されており、端末が周辺機器固有のＩＤ（機器ＩＤ）をパケットのアドレスにマッピングし、サービス要求データとして、処理サーバに送出し、処理サーバは機器ＩＤ内のメーカＩＤをメーカＩＤ管理サーバヘ問い合わせてメーカが管理する属性管理サーバのアドレスを取得し、この属性管理サーバに機器ＩＤを問い合わせ、属性管理サーバは機器ＩＤに対応した属性データを検索し、これを処理サーバヘ与える。この一連の動作により、処理サーバは周辺機器に対し、ドライバの提供や機器設定情報の提供等のサービスをユーザに負担を掛けることなく適切に提供することができる。
【特許文献１】特開２００３−１２２７１０号公報
【発明の開示】
【発明が解決しようとする課題】
【０００３】
しかしながら、従来のこのネットワークシステムは、機器ＩＤという、機器情報の提供や設定情報を入手するためには抽象的な情報に基づいてサービスを提供する方法であるので、サービスの実現には少なくとも処理サーバ、メーカＩＤ管理サーバ、属性管理サーバの３種類のサーバを構築して情報のやり取りを行う必要があり、また、それぞれに管理を行わなければならず、構築およびメンテナンスに手間と費用がかかるという問題があった。
【０００４】
本発明は、このような従来の問題を解決するためになされたもので、システムの構築およびメンテナンスを容易に行うことのできるネットワークシステムおよびホームネットワーク機器設定方法を提供することを目的とする。
【課題を解決するための手段】
【０００５】
本発明のネットワークシステムは、広域ネットワークにゲートウェイ装置を介して接続されたホームネットワーク機器と、前記広域ネットワークに接続された管理サーバとを備えたネットワークシステムであって、前記ホームネットワーク機器が、前記ゲートウェイ装置から通知された貸与アドレスおよび自身の機器情報アドレスを保持する記憶手段を備え、前記ゲートウェイ装置が、前記ホームネットワーク機器から取得した機器情報アドレスに基づき、前記管理サーバにアクセスして前記ホームネットワーク機器の設定情報を取得して前記ホームネットワーク機器の設定を行う制御手段を備え、前記管理サーバが、前記ホームネットワーク機器の機器情報アドレスに関連付けられた設定情報を蓄積したデータベースを備えた構成を有する。
【０００６】
この構成により、ゲートウェイ装置が、ホームネットワーク機器から得られた機器情報アドレスに基づき、複数のサーバを経由することなく直接ホームネットワーク機器の情報を保持する管理サーバヘアクセスし、ホームネットワーク機器を動作させるために必要な設定情報を入手して、これをホームネットワーク機器へ自動的に設定することができるので、システムの構築およびメンテナンスを容易に行うことができ、手間と時間を節減することができる。
【０００７】
また、本発明のネットワークシステムは、前記ゲートウェイ装置が、前記管理サーバから前記ホームネットワーク機器のドライバを取得して前記ホームネットワーク機器に対しインストールすることを特徴とする。この構成により、ホームネットワーク機器を制御するために必要なドライバを入手して、これをホームネットワーク機器へ自動的にインストールすることができるので、システムの構築およびメンテナンスを容易に行うことができ、手間と時間を節減することができる。
【０００８】
また、本発明のネットワークシステムは、前記ゲートウェイ装置が、定期的に前記管理サーバにアクセスして、既に取得しているドライバが最新のものであるかどうかを確認し、前記管理サーバが、前記ホームネットワーク機器のドライバの更新情報を保持し、前記ドライバが更新された場合には更新情報を書き換え、
前記ゲートウェイ装置が、前記管理サーバから最新版ドライバをダウンロードして前記ホームネットワーク機器にインストールすることを特徴とする。この構成により、ホームネットワーク機器は、ドライバを常に最新の状態に保つことができ、ドライバのアップデートをユーザの手を煩わせることなく自動的に行うことができる。
【０００９】
また、本発明のネットワークシステムは、前記管理サーバのデータベースが、前記ホームネットワーク機器のベンダ単独または複数のベンダにより構築されていることを特徴とする。この構成により、いずれのベンダから提供されたホームネットワーク機器に対しても対応することができる。
【００１０】
また、本発明は、ゲートウェイ装置を介して広域ネットワーク上の管理サーバに接続されるホームネットワーク機器であって、前記ゲートウェイ装置と通信する通信手段と、前記ゲートウェイ装置から通知された貸与アドレスおよび自身の機器情報アドレスを保持する記憶手段と、前記ゲートウェイ装置を介して前記管理サーバから自身の設定情報またはドライバを取得する制御手段とを備えたことを特徴とするものである。この構成により、ゲートウェイ装置が、ホームネットワーク機器から得られた機器情報アドレスに基づき、複数のサーバを経由することなく直接ホームネットワーク機器の情報を保持する管理サーバヘアクセスし、ホームネットワーク機器を動作させるために必要な設定情報を入手して、これをホームネットワーク機器へ自動的に設定することができるので、システムの構築およびメンテナンスを容易に行うことができ、手間と時間を節減することができる。
【００１１】
また、本発明は、広域ネットワークを介して管理サーバに接続されるとともに、ホームネットワークを介してホームネットワーク機器に接続されるゲートウェイ装置であって、前記管理サーバおよび前記ホームネットワーク機器と通信する通信手段と、前記ホームネットワーク機器に通知した貸与アドレスおよび前記ホームネットワーク機器の機器情報アドレスを保持する記憶手段と、前記管理サーバから前記ホームネットワーク機器の設定情報またはドライバを取得して前記ホームネットワーク機器の設定またはインストールを行う制御手段とを備えたことを特徴とするものである。この構成により、ゲートウェイ装置が、ホームネットワーク機器から得られた機器情報アドレスに基づき、複数のサーバを経由することなく直接ホームネットワーク機器の情報を保持する管理サーバヘアクセスし、ホームネットワーク機器を動作させるために必要な設定情報を入手して、これをホームネットワーク機器へ自動的に設定することができるので、システムの構築およびメンテナンスを容易に行うことができ、手間と時間を節減することができる。
【００１２】
また、本発明は、広域ネットワークを介してゲートウェイ装置に接続されるとともに、前記ゲートウェイ装置を介してホームネットワーク機器に接続される管理サーバであって、前記ゲートウェイ装置と通信する通信手段と、前記ホームネットワーク機器の機器情報アドレスに関連付けられた設定情報およびドライバを蓄積したデータベースと、前記ゲートウェイ装置からの要求に基づいて前記ホームネットワーク機器の設定情報またはドライバを前記ゲートウェイ装置へ送信する制御手段とを備えたことを特徴とするものである。この構成により、ゲートウェイ装置が、ホームネットワーク機器から得られた機器情報アドレスに基づき、複数のサーバを経由することなく直接ホームネットワーク機器の情報を保持する管理サーバヘアクセスし、ホームネットワーク機器を動作させるために必要な設定情報を入手して、これをホームネットワーク機器へ自動的に設定することができるので、システムの構築およびメンテナンスを容易に行うことができ、手間と時間を節減することができる。
【００１３】
また、本発明は、広域ネットワークにゲートウェイ装置を介して接続されたホームネットワーク機器と、前記広域ネットワークに接続された管理サーバとを備えたネットワークシステムにおけるホームネットワーク機器設定方法であって、
前記ホームネットワーク機器が、前記ゲートウェイ装置に対し貸与アドレスを要求するステップと、自身が保持する機器情報アドレスを前記ゲートウェイ装置に通知するステップとを備え、前記ゲートウェイ装置が、前記ホームネットワーク機器から前記機器情報アドレスを取得するとともに、前記ホームネットワーク機器へ貸与アドレスを通知するステップと、前記取得した機器情報アドレスに基づき前記管理サーバにアクセスするステップと、前記管理サーバから前記ホームネットワーク機器の設定情報を取得するステップと、前記管理サーバから取得した設定情報に基づき前記ホームネットワーク機器の設定を行うステップとを備えた構成を有する。この構成により、ゲートウェイ装置が、ホームネットワーク機器から得られた機器情報アドレスに基づき、複数のサーバを経由することなく直接ホームネットワーク機器の情報を保持する管理サーバヘアクセスし、ホームネットワーク機器を動作させるために必要な設定情報を入手して、これをホームネットワーク機器へ自動的に設定することができるので、システムの構築およびメンテナンスを容易に行うことができ、手間と時間を節減することができる。
【００１４】
また、本発明のホームネットワーク設定方法は、前記ゲートウェイ装置が、前記管理サーバから前記ホームネットワーク機器のドライバを取得して前記ホームネットワーク機器に対しインストールするステップを備えたことを特徴とする。この構成により、ホームネットワーク機器を制御するために必要なドライバを入手して、これをホームネットワーク機器へ自動的にインストールすることができるので、システムの構築およびメンテナンスを容易に行うことができ、手間と時間を節減することができる。
【００１５】
また、本発明のホームネットワーク設定方法は、前記ゲートウェイ装置が、定期的に前記管理サーバにアクセスして、既に取得しているドライバが最新のものであるかどうかを確認するステップと、前記管理サーバが、前記ホームネットワーク機器のドライバの更新情報を保持し、前記ドライバが更新された場合には更新情報を書き換えるステップと、前記ゲートウェイ装置が、前記管理サーバから最新版ドライバをダウンロードして前記ホームネットワーク機器にインストールするステップとを備えたことを特徴とする。この構成により、ホームネットワーク機器は、ドライバを常に最新の状態に保つことができ、ドライバのアップデートをユーザの手を煩わせることなく自動的に行うことができる。
【発明の効果】
【００１６】
本発明は、広域ネットワークにゲートウェイ装置を介して接続されたホームネットワーク機器と、広域ネットワークに接続された管理サーバとを備えたネットワークシステムであって、ホームネットワーク機器が、ゲートウェイ装置から通知された貸与アドレスおよび自身の機器情報アドレスを保持する記憶手段を備え、ゲートウェイ装置が、ホームネットワーク機器から取得した機器情報アドレスに基づき、管理サーバにアクセスしてホームネットワーク機器の設定情報を取得してホームネットワーク機器の設定を行う制御手段を備え、管理サーバが、ホームネットワーク機器の機器情報アドレスに関連付けられた設定情報を蓄積したデータベースを備えているので、ゲートウェイ装置が、ホームネットワーク機器から得られた機器情報アドレスに基づき、複数のサーバを経由することなく直接ホームネットワーク機器の情報を保持する管理サーバヘアクセスし、ホームネットワーク機器を動作させるために必要な設定情報を入手して、これをホームネットワーク機器へ自動的に設定することができるので、システムの構築およびメンテナンスを容易に行うことができ、手間と時間を節減することができるという効果を有するネットワークシステムを提供することができる。
【発明を実施するための最良の形態】
【００１７】
以下、本発明の実施の形態におけるネットワークシステムおよびホームネットワーク機器設定方法について、図面を用いて説明する。
【００１８】
（実施の形態１）
図１は本発明の第１の実施の形態におけるネットワークシステムの構成を示している。図１において、インターネットである広域ネットワーク１には、管理サーバ２およびゲートウェイ装置３が接続されている。また、ゲートウェイ装置１には、ＬＡＮであるホームネットワーク１を介してパソコンやネット家電等の複数のホームネットワーク機器５が接続されている。ホームネットワーク機器５は、ホームネットワーク４に対して所定のプロトコルを用いて通信する通信部６と、装置全体を制御するＣＰＵである制御部７と、ゲートウェイ装置３から指定された貸与アドレスおよびベンダ出荷時に予め設定された機器情報アドレスである機器情報ＵＲＬ（Uniform Resource Locator）、および制御部７が制御を行う際に必要なプログラムやデータを保持する記憶部８とを備えている。また、ゲートウェイ装置３は、広域ネットワーク１およびホームネットワーク４に対して所定のプロトコルを用いて通信する通信部９と、装置全体を制御するＣＰＵである制御部１０と、制御部１０が制御を行う際に必要なプログラムやデータを保持する記憶部１１とを備えている。制御部１０は、通信部９を通じてホームネットワーク機器５から取得した機器情報ＵＲＬに基づき、管理サーバ２にアクセスしてホームネットワーク機器５を動作させるために必要な設定情報および制御に必要なドライバを取得し、この取得した情報に基づきホームネットワーク機器５の設定やドライバをインストールする。また、管理サーバ２は、広域ネットワーク１に対して所定のプロトコルを用いて通信する通信部１２と、装置全体を制御するＣＰＵである制御部１３と、制御部１３が制御を行う際に必要なプログラムやデータを保持する記憶部１４と、ホームネットワーク機器５の機器情報ＵＲＬに関連付けられたホームネットワーク機器５の設定に必要な情報および制御に必要なドライバを蓄積する機器設定データベース１５を備えている。機器設定データベース１５は、ホームネットワーク機器５のベンダ単独または複数のベンダが協力して情報を提供してベンダ自身が構築するか、またはネットワーク事業者やサーバ構築業者等に依頼して構築される。
【００１９】
以上のように構成されたネットワークシステムについて、その動作を図２のシーケンス図を用いて説明する。以下の説明では、いわゆるネット家電を代表的なものとするホームネットワーク機器５が、イーサネット（登録商標）に代表され、他に無線ＬＡＮやＩＥＥＥ１３９４やＵＳＢやエコーネット等によっても実現されるホームネットワーク４に接続された場合を考える。ホームネットワーク機器５の制御部７は、ホームネットワーク４上で自身が唯一識別されるためにアドレスが必要であるため、通信部６およびホームネットワーク４を通じて、ホームネットワーク４を管理するゲートウェイ装置３に対してアドレス要求を行い（Ｓ１）、同時に記憶部８に記憶されているベンダ出荷時に予め設定された機器情報ＵＲＬをアドレス要求メッセージのペイロードに含めるか、または専用のパケットを用いてゲートウェイ装置３に通知する（Ｓ２）。ゲートウェイ装置３の制御部１０は、通信部９を通じて取得したホームネットワーク機器５からの機器情報ＵＲＬと、ホームネットワーク機器５に対して貸与するアドレスとを対にして記憶部１１に保持し、ホームネットワーク機器５に対して唯一識別可能な貸与アドレスを通知する（Ｓ３）。これを受け取ったホームネットワーク機器５は、この貸与アドレスを記憶部８に保持し、以降の通信はこの貸与アドレスを用いて行う。
【００２０】
機器情報ＵＲＬを受け取ったゲートウェイ装置３の制御部１０は、この機器情報ＵＲＬに基づき、インターネットに代表されるＩＰｖ４プロトコルやＩＰｖ６プロトコルにて通信を行う広域ネットワーク１（またはＩＰｖ４やＩＰｖ６プロトコルを用いた閉域網）を通じて管理サーバ２ヘアクセスし（Ｓ４）、ホームネットワーク機器５をホームネットワーク４上で動作させるために必要な設定情報およびドライバをダウンロードして記憶部１１に保持する（Ｓ５）。次いで、制御部１０は、このようにして取得した設定情報およびドライバを、取得元の機器情報ＵＲＬと対に保持している貸与アドレスを有するホームネットワーク機器５にアクセスし、その設定およびインストールを行う（Ｓ６）。
【００２１】
このように、本実施の形態１によれば、ホームネットワーク機器５が、ゲートウェイ装置３から通知された貸与アドレスおよび自身の機器情報ＵＲＬを保持する記憶部６を備え、ゲートウェイ装置３が、ホームネットワーク機器５から取得した機器情報ＵＲＬに基づき、管理サーバ２にアクセスしてホームネットワーク機器５の設定情報およびドライバを取得してホームネットワーク機器５の設定およびドライバのインストールを行う制御部１０を備え、管理サーバ２が、ホームネットワーク機器５の機器情報ＵＲＬに関連付けられた設定情報およびドライバを蓄積した機器設定データベース１５を備えているので、複数のサーバと情報をやり取りすることなく、単一の管理サーバ２からホームネットワーク機器５に必要な設定およびドライバのインストールを行うことができ、システムの構築およびメンテナンスを容易に行うことができる。
【００２２】
（実施の形態２）
次に、本発明の第２の実施の形態におけるネットワークシステムおよびホームネットワーク機器設定方法について説明する。本実施の形態２のネットワークシステムの構成は、図１に示した実施の形態１と同じであり、その動作が異なるのみなので、図３を用いてその動作についてのみ説明する。図３において、シーケンスＳ１からＳ６までは図２と同じであり、これらの動作の後、ゲートウェイ装置３が、予め設定された間隔に基づき、広域ネットワーク１を通じて管理サーバ２に定期的にアクセスを行う（Ｓ７）。管理サーバ２は、白身の管理するホームネットワーク機器に関するバグや改良が行われた最新ドライバを機器設定データベース１５に常に保持し、このドライバの更新情報をドライバ自身に内蔵もしくは別ファイルにて保持している。ゲートウェイ装置３は、上記したアクセスを管理サーバ２に対して行い、自身の保有するホームネットワーク機器５に対応したドライバと管理サーバにて保持されるドライバとの比較を行い、更新されているか否かを判断するか、自身の保有するホームネットワーク機器５に対応したドライバの取得日時の情報と、管理サーバにて保有するドライバ更新情報とを比較してドライバが更新されているか否かを判断する。判断の結果、ドライバの更新が行われていた場合、ゲートウェイ装置３は、管理サーバ２から最新版ドライバをダウンロードし（Ｓ８）、これを取得元の機器情報ＵＲＬと対に保持している貸与アドレスを有するホームネットワーク機器５にアクセスし、最新版ドライバのインストールを行う（Ｓ９）。
【００２３】
このように、本実施の形態２によれば、実施の形態１の動作に加え、ゲートウェイ装置３の制御部１０が、定期的に管理サーバ２にアクセスして、既に取得しているドライバが最新のものであるかどうかを確認し、管理サーバ２が、ホームネットワーク機器５のドライバの更新情報を保持し、ドライバが更新された場合には更新情報を書き換え、ゲートウェイ装置３が、管理サーバから最新版ドライバをダウンロードしてホームネットワーク機器５にインストールするので、ドライバを常に最新の状態に保つことができ、ドライバのアップデートをユーザの手を煩わせることなく自動的に行うことができる。
【産業上の利用可能性】
【００２４】
以上のように、本発明に係るネットワークシステムは、複数のサーバと情報をやり取りすることなく、単一の管理サーバからホームネットワーク機器に必要な設定およびドライバのインストールを行うことができ、システムの構築およびメンテナンスを容易に行うことができるという効果を有し、ホームネットワークに接続されたホームネットワーク機器に対して、ゲートウェイ装置を介して、広域ネットワーク上にある管理サーバから設定情報やドライバの入手およびインストールを可能にするネットワークシステム等として有用であり、ＩＰｖ４およびＩＰｖ６パケットを転送するネットワークシステムなどに適用することができる。
【図面の簡単な説明】
【００２５】
【図１】本発明の第１および第２の実施の形態におけるネットワークシステムの構成を示すブロック図
【図２】本発明の第１の実施の形態におけるネットワークシステムの動作を示すシーケンス図
【図３】本発明の第２の実施の形態におけるネットワークシステムの動作を示すシーケンス図
【符号の説明】
【００２６】
１  広域ネットワーク
２  管理サーバ
３  ゲートウェイ装置
４  ホームネットワーク
５  ホームネットワーク機器
６、９、１２  通信部
７、１０、１３  制御部
８、１１、１４  記憶部
１５  機器設定データベース
【図１】
2006067076.tif 000003
【図２】
2006067076.tif 000004
【図３】
2006067076.tif 000005